(57)【要約】【課題】簡易な構成で電池パックの電池収容部内でのガタツキを抑え、瞬断を確実に防止する。【解決手段】携帯電話端末１０において、電池パック２０を収容する凹部１３に、ゴム系材料等の弾性体からなる長尺状のバンド部材３０を設けた。このバンド部材３０は、その一端３０ａが凹部１３の底面１３ａに固定され、他端３０ｂが蓋体１５に固定され、蓋体１５を凹部１３の開口部に装着した状態で、電池パック２０と、凹部１３の底面１３ａおよび壁部１３ｂ、蓋体１５との間にバンド部材３０を挟み込むようにした。【選択図】図２
2011081958.tif 000002
【特許請求の範囲】
【請求項１】
筐体と、
前記筐体に形成され、少なくとも一方に開口部を有して、電池パックを着脱可能に収容する電池収容部と、
前記電池収容部の内周面に設けられ、前記電池収容部に収容された前記電池パックが電気的に接続される電池端子と、
前記電池収容部の前記開口部に着脱可能に装着される蓋体と、
一端が前記電池収容部に固定されて、前記蓋体を前記開口部に装着したときに、前記電池収容部に収容される前記電池パックの外周面に沿って連続して配置され、前記電池パックと前記電池収容部および前記蓋体との間に挟み込まれる長尺状のバンド部材と、
を備えることを特徴とする電子機器。
【請求項２】
前記バンド部材は、前記電池パックと前記電池収容部または前記蓋体とを結ぶ方向に弾性変形可能であることを特徴とする請求項１に記載の電子機器。
【請求項３】
前記バンド部材は、当該バンド部材が連続する方向に伸縮可能であることを特徴とする請求項１または２に記載の電子機器。
【請求項４】
前記バンド部材の他端が前記蓋体に固定されていることを特徴とする請求項１から３のいずれか一項に記載の電子機器。
【請求項５】
前記電池収容部の外周部に、前記バンド部材の他端をクランプするクランプ部が設けられていることを特徴とする請求項１から３のいずれか一項に記載の電子機器。
【請求項６】
前記電池収容部の外周部に、前記バンド部材の他端を巻き付ける柱状のポストが設けられていることを特徴とする請求項１から３のいずれか一項に記載の電子機器。
【請求項７】
前記バンド部材は、前記電池収容部に前記電池パックが収容され、前記開口部に前記蓋体が装着された状態において、前記電池収容部の底面と、前記電池収容部の内側面と、前記蓋体とに沿うよう配置されることを特徴とする請求項１から６のいずれか一項に記載の電子機器。
【請求項８】
前記バンド部材は、前記電池端子が設けられた側と対向する側において、前記電池収容部の内側面に沿うよう配置され、前記バンド部材により、前記電池パックが前記電池端子側に押圧されることを特徴とする請求項７に記載の電子機器。
【請求項９】
前記バンド部材は、ゴム系材料からなることを特徴とする請求項１から８のいずれか一項に記載の電子機器。
【請求項１０】
携帯電話端末であることを特徴とする請求項１から９のいずれか一項に記載の電子機器。
【発明の詳細な説明】
【技術分野】
【０００１】
本発明は、携帯電話端末等をはじめとする、着脱可能な電池パックを用いる電子機器に関する。
【背景技術】
【０００２】
携帯電話機、ＰＨＳ（Personal Handy-phone System）、トランシーバ、ＰＤＡ（Personal Digital Assistant）、ノート型パーソナルコンピュータ、携帯音楽プレーヤー、デジタルカメラ等の可搬性を有する各種の電子機器においては、電源として充電式の電池パックを用いている。
電池パックは、電子機器の筐体に形成された電池収容部に収容される。そして、電池収容部内に設けられた電池端子に電池パックの端子部が接触することにより、電池パックと電子機器の回路部とが電気的に接続される。
【０００３】
ところで、このような電子機器を地面や床に落下させる等して電子機器に外部から衝撃が加わると、電池パック側の端子部と、電子機器側の電池端子とが、瞬間的に電気的に断絶する瞬断現象が発生することがある。そして、瞬断現象が発生すると、動作が止まったり、電子機器のメモリに記憶された各種設定内容がリセットされたり、データが消失する等の不具合が発生する。
【０００４】
瞬断は、外部から衝撃が加わった際に、電池パックの端子部と電子機器側の電池端子とが物理的に離れるために生じる。この原因としては、電子機器の電池収容部内で電池パックにガタツキがあり、外部から衝撃が加わった際に、電池収容部内で電池パックが動いてしまうことが考えられる。しかし、このガタツキはユーザが電池パックを電子機器の電池収容部に着脱するために必要であり、意図的に設けられている。
【０００５】
そこで、電子機器の電池収容部内において、着脱のための電池パックの移動スペースを確保しつつ、衝撃が加わった際に電池パックが電池収容部内で不用意に動いてしまうのを抑制するための工夫がなされている。
【０００６】
特許文献１には、電池収容部にゴム製の緩衝部材を設け、衝撃を吸収する構成が開示されている。
【０００７】
特許文献２には、電池パック側に設けた接続端子を構成するスプリングピンが、電池収容部側の電池端子と線接触するようにすることで、瞬断現象を抑制する構成が開示されている。
【０００８】
特許文献３には、弾性部材により電池パックを電池収容部に押しつけることで、電池パックのガタツキを抑制する構成が開示されている。
【０００９】
特許文献４には、電池パックに接続されたケーブルの弾性により、電池収容部内での電池パックのガタツキを抑制する構成が開示されている。
【先行技術文献】
【特許文献】
【００１０】
【特許文献１】実開平５−４８２０８号公報
【特許文献２】特開２００８−２６２７９３号公報
【特許文献３】特開平１０−３２６２３号公報
【特許文献４】特開２００５−８５５９５号公報
【発明の概要】
【発明が解決しようとする課題】
【００１１】
しかしながら、特許文献１の構成では、弾性部材が時間の経過とともにヘタり、その衝撃吸収性が低下する恐れがある。
また、特許文献２、３に記載の構成では、ピンとスプリングとからなるスプリングピンを用いるため、構造が複雑であるとともに、電池パック自体のガタツキを抑えることはできず、根本的な問題の解決方法ではない。
特許文献４に記載の構成は、電池収容部内でケーブルを大きくたわませることで、ケーブルにより弾性力を発揮させる。このため、たわんだケーブルを収容するスペースが電池収容部に必要となり、これによって省スペース化、電子機器の小型化を妨げることになる。
そこでなされた本発明の目的は、簡易な構成で電池パックの電池収容部内でのガタツキを抑え、瞬断を確実に防止するとともに、小型化を妨げることのない電子機器を提供することである。
【課題を解決するための手段】
【００１２】
本発明は、上記課題を解決するため、以下の手段を採用する。
すなわち、本発明の電子機器は、筐体と、筐体に形成され、少なくとも一方に開口部を有して、電池パックを着脱可能に収容する電池収容部と、電池収容部の内周面に設けられ、電池収容部に収容された電池パックに電気的が接続される電池端子と、電池収容部の開口部に着脱可能に装着される蓋体と、一端が電池収容部の内周面に固定されて、蓋体を開口部に装着したときに、電池収容部に収容される電池パックに沿って連続して配置され、電池パックと電池収容部および蓋体との間に挟み込まれる長尺状のバンド部材と、を備えることを特徴とする。
【発明の効果】
【００１３】
本発明によれば、バンド部材を、電池収容部に収容される電池パックの外周面に沿って連続して配置し、電池パックと電池収容部および蓋体との間に挟み込まれるようにした。これにより、電池収容部内における電池パックのガタツキを抑えることができ、電子機器を落下させた場合等においても、電池パックと電池端子との電気的な接続が瞬間的に断絶されるのを防ぐことができる。しかも、長尺状のバンド部材を、電池パックの外周面に沿わせる構成ゆえ、簡易な構成であるとともに、バンド部材を設けるために必要なスペースも少なくて済み、電子機器の小型化を妨げるのを防ぐことができる。
【図面の簡単な説明】
【００１４】
【図１】第１の実施形態における携帯電話端末の斜視図である。
【図２】図１に示した携帯電話端末における電池収容部の断面図である。
【図３】第２の実施形態における携帯電話端末の斜視図である。
【図４】図３に示した携帯電話端末における電池収容部の断面図である。
【図５】第３の実施形態における携帯電話端末の斜視図である。
【図６】図５に示した携帯電話端末における電池収容部の断面図である。
【発明を実施するための形態】
【００１５】
以下、添付図面を参照して、本発明による同軸線路を実施するための最良の形態を説明する。しかし、本発明はこれらの実施例のみに限定されるものではない。
【００１６】
（第１の実施形態）
図１に示すものは、本発明を適用した電子機器の一例である、携帯電話端末（電子機器）１０を示す斜視図である。
図１に示すように、携帯電話端末１０は、その外殻を形成する筐体１１の内部に、その動作・通信を司る制御回路等が内蔵され、筐体１１の外表面（図１には図示していない外表面）には、画像や文字、映像等の各種情報を表示するモニター部、ユーザが携帯電話端末１０を操作するための操作キー等が設けられている。
【００１７】
筐体１１には、制御回路等に電源を供給するための電池パック２０を収容する電池収容部１２が形成されている。電池収容部１２は、筐体１１の外方に向けて開口した凹部１３と、凹部１３の内周面に一部が露出して設けられ、電池パック２０の端子部（図示無し）に電気的に接続される電池端子１４と、を備えている。電池端子１４の残部は、筐体１１内に収容され、制御回路等の電源供給先に電気的に接続されている。
【００１８】
凹部１３は、電池パック２０の外形に応じた形状を有している。すなわち、電池パック２０がほぼ直方体状の場合、凹部１３は、矩形平面状の底面１３ａと、底面１３ａの四方を取り囲んで立ち上がる壁部（内側面）１３ｂと、を有する。
そして、底面１３ａの幅と奥行と、壁部１３ｂの高さは、電池パック２０の幅、奥行、高さよりも一定寸法大きく設定されている。特に、底面１３ａの幅と奥行の少なくとも一方は、電池パック２０を電池収容部１２から取り外すときに、電池パック２０の外周部を指で引っかけるスペースを確保するため、電池パックの幅、奥行に対し、一定寸法のクリアランスを確保できるよう形成されている。
【００１９】
この凹部１３には、凹部１３の開口部を閉塞する蓋体１５が着脱自在に装着される。
【００２０】
さて、図１、図２に示すように、凹部１３には、ゴム系材料等の弾性体からなる帯状のバンド部材３０が設けられている。バンド部材３０は、その一端３０ａが凹部１３の底面１３ａに固定され、他端３０ｂが蓋体１５に固定されている。
このバンド部材３０は、一定以上の厚さを有しており、蓋体１５を凹部１３の開口部に装着した状態で、電池パック２０と、凹部１３の底面１３ａおよび壁部１３ｂ、蓋体１５との間にバンド部材３０が挟み込まれて介在する。
【００２１】
このとき、バンド部材３０は、ゴム系材料等、その長手方向に伸縮性の高い材質とすることで、蓋体１５を開いた状態では、図１に示したようにバンド部材３０を伸ばした状態とし、蓋体１５を閉めた状態では、図２（ａ）に示すように、蓋体１５と凹部１３と電池パック２０とによって囲まれる空間内で、バンド部材３０が縮んで弛まないようにしても良い。
また、蓋体１５を開いた状態では、バンド部材３０を伸ばさずとも、図１に示したように、蓋体１５を筐体１１から離すことができる程度に、バンド部材３０に予め余長をもたせることもできる。その場合、蓋体１５を閉めた状態では、図２（ｂ）に示すように、蓋体１５と凹部１３と電池パック２０とによって囲まれる空間内に、バンド部材３０の余長を折り畳んで収納するようにしても良い。
【００２２】
このようにして、電池パック２０と、凹部１３の底面１３ａ、壁部１３ｂ、蓋体１５との間に挟み込まれるバンド部材３０を、電池パック２０が凹部１３内でガタつかないような厚さに設定することで、バンド部材３０の有する弾性により電池パック２０の表面に直交する方向の押圧力を発揮して凹部１３内で電池パック２０を押さえつけ、電池パック２０が動くのを防ぐ。
【００２３】
また、電池パック２０の面２０ａ、２０ｂ、２０ｃに沿うよう配置されたバンド部材３０は、電池パック２０の三つの面２０ａ、２０ｂ、２０ｃとの間で摩擦力を発生する。この摩擦力によっても、電池パック２０が凹部１３内で動いてしまうのを防ぐことができる。
【００２４】
さらに、バンド部材３０は、電池パック２０において、凹部１３に設けられた電池端子１４と対向する側の壁部１３ｂと電池パック２０との間に介在し、電池端子１４と対向する側の壁部１３ｂと電池パック２０とを結ぶ方向にバンド部材３０が弾性変形したときの反発力によって、電池パック２０を電池端子１４側に押圧して、電池パック２０と電池端子１４との電気的な接続を確実なものとする。
【００２５】
このようにして、バンド部材３０の弾性および摩擦力により、電池パック２０が凹部１３内で動くのを防ぎ、瞬断現象を防ぐことができる。しかも、バンド部材３０は平帯状であるため、電池パック２０と凹部１３との隙間を特に拡大する必要が無く、携帯電話端末１０の小型化を妨げずに、瞬断現象を防ぐことができる。
【００２６】
なお、電池パック２０を電池収容部１２に着脱するときには、バンド部材３０が弾性変形可能であるため、電池パック２０の着脱は阻害されない。
【００２７】
加えて、蓋体１５を開いた状態でバンド部材３０を引っ張れば、バンド部材３０が電池パック２０の下側（凹部１３の底面１３ａに対向した側）に入り込んでいるため、電池パック２０を引き上げて凹部１３から容易に取り外すことができる。
【００２８】
（第２の実施形態）
ここで、上記実施形態におけるバンド部材３０は、その両端が凹部１３と蓋体１５とに固定されているが、これに限るものではなく、以下にその変形例を示す。なお、以下に示す各実施形態では、バンド部材３０に代わる構成のみを示し、他の構成については上記実施形態と共通であるため、同一符号を付してその説明を省略する。
図３、図４に示すように、バンド部材５０は、上記実施形態におけるバンド部材３０と同様、ゴム系材料等の弾性体から形成された平帯状とされている。バンド部材５０は、その一端５０ａが凹部１３の底面１３ａに固定され、他端５０ｂが自由端とされている。
【００２９】
そして、凹部１３の壁部１３ｂには、バンド部材５０の他端５０ｂを挿入するとともに、挿入された他端５０ｂをクランプするクランプ部６０が設けられている。このクランプ部６０はいかなる構成としても良い。例えば、図４に示したように、クランプ部６０をスロット状とし、ここにバンド部材５０の他端５０ｂを挿入して、互いの摩擦力や、蓋体１５で押さえつけることによってバンド部材５０をクランプすることもできる。
また、ワンウェイ（１−Ｗａｙ）のロック機構によりクランプ部６０を構成し、バンド部材５０の他端５０ｂの挿入方向の変位を許容し、他端５０ｂを引き抜こうとする方向の変位を拘束する構成としても良い。そして、例えば、凹部１３の周囲に設けた図示しないロック解除ボタン等により拘束を解除した場合のみ、クランプ部６０でクランプされたバンド部材５０の他端５０ｂを引き抜けるようにする。
【００３０】
このようなバンド部材５０によっても、上記実施形態のバンド部材３０と同様に、バンド部材５０の弾性および摩擦力により、電池パック２０が凹部１３内で動くのを防ぎ、瞬断現象を防ぐことができる。しかも、バンド部材５０は平帯状であるため、電池パック２０と凹部１３との隙間を特に拡大する必要が無く、携帯電話端末１０の小型化を妨げずに、瞬断現象を防ぐことができる。
【００３１】
また、蓋体１５を開いた状態でも、バンド部材５０の他端５０ｂがクランプ部６０によってクランプされていれば、蓋体１５を開いたときにバンド部材５０によって電池パック２０が不用意に凹部１３から外れてしまうことを防ぐことができる。
そして、電池パック２０を取り外すときには、バンド部材５０の他端５０ｂのクランプ部６０によるクランプを解除して引き抜き、他端５０ｂ側を持ってバンド部材５０を引き上げれば、電池パック２０を凹部１３から容易に取り外すことができる。
【００３２】
（第３の実施形態）
図５、図６に示すように、バンド部材７０は、上記実施形態におけるバンド部材３０、５０と同様、ゴム系材料等の弾性体から形成されているが、平帯状ではなく、紐状とされている。
このようなバンド部材７０は、その一端７０ａが凹部１３の底面１３ａに固定され、他端７０ｂが自由端とされている。
【００３３】
そして、筐体１１において凹部１３の外周側の平面部１７には、柱状のポスト８０が突出して設けられている。バンド部材７０の他端７０ｂは、例えば、このポスト８０に巻き付けたり、ポスト８０に形成された図示しないスリットに挟み込むこと等によって係止される。
【００３４】
一方、蓋体１５側には、このポスト８０に対応した位置に凹部や孔１９が形成されており、バンド部材７０の他端７０ｂが係止されたポスト８０を収容できるようになっている。
【００３５】
このようなバンド部材７０によっても、上記実施形態のバンド部材３０、５０と同様に、バンド部材７０の弾性および摩擦力により、電池パック２０が凹部１３内で動くのを防ぎ、瞬断現象を防ぐことができる。しかも、バンド部材７０は、紐状であるため、電池パック２０と凹部１３との隙間を特に拡大する必要が無く、携帯電話端末１０の小型化を妨げずに、瞬断現象を防ぐことができる。
【００３６】
また、蓋体１５を開いた状態でも、バンド部材７０の他端７０ｂがポスト８０に係止されていれば、蓋体１５を開いたときにバンド部材７０によって電池パック２０が不用意に凹部１３から外れてしまうことを防ぐことができる。
そして、電池パック２０を取り外すときには、バンド部材７０の他端７０ｂのポスト８０への係止を解き、他端７０ｂ側を持ってバンド部材７０を引き上げれば、電池パック２０を凹部１３から容易に取り外すことができる。
【００３７】
なお、本発明の電子機器は、図面を参照して説明した上述の各実施形態に限定されるものではなく、その技術的範囲において様々な変形例が考えられる。例えば、上記実施形態に挙げた携帯電話端末１０に限らず、ＰＨＳ、トランシーバ、ＰＤＡ、ノート型パーソナルコンピュータ、携帯音楽プレーヤー、デジタルカメラ等の可搬性を有する様々な電子機器に本発明は適用可能である。
また、例えば、携帯電話端末１０において、バンド部材３０、５０、７０以外の部分の構成については、いかなる構成としても良い。
また、上記実施形態では、バンド部材３０、５０、７０を紐状または帯状のいずれかで構成したが、長尺状であれば、他の構成であってもよい。
また、上記実施形態では、電池パック２０を直方体状としたが、例えば円柱状等、他の形状としても良い。
これ以外にも、本発明の主旨を逸脱しない限り、上記実施の形態で挙げた構成を取捨選択したり、他の構成に適宜変更することが可能である。
【符号の説明】
【００３８】
１０    携帯電話端末（電子機器）
１１    筐体
１２    電池収容部
１３    凹部
１３ａ        底面
１３ｂ  壁部（内側面）
１４    電池端子
１５    蓋体
１７    平面部
１９    孔
２０    電池パック
３０、５０、７０   バンド部材
６０    クランプ部
８０    ポスト
【図１】
2011081958.tif 000003
【図２】
2011081958.tif 000004
【図３】
2011081958.tif 000005
【図４】
2011081958.tif 000006
【図５】
2011081958.tif 000007
【図６】
2011081958.tif 000008